(57)【要約】【課題】ＬＥＤ照明器具に使われる、LED発光体は、発光時における熱により発光体性能の劣化などがおきるため、生じる熱の放熱を行う放熱器が必要となる。また、照明に必要な電力消費は、蛍光灯よりも低いがLED発光体は蛍光灯に用いる蛍光管より、高いためその汎用性が蛍光灯より低くなっている。【解決手段】放熱性の高いアルミニューム等の押し出し材用いてLED発光体の発光時における熱による発光体性能の劣化を防ぐ役割の放熱器と照明反射板を構成した、LED照明箱体にLED発光体を構成し、ユニット化した、LED照明ユニットを組み合わせることにより、さまざまなサイズのＬＥＤ照明器具を作り出すことにより、生産工程における生産設備機器等を、簡素化し、低価格のLED照明器具を提供することにある。【選択図】図8
2011040414.tif 000002
【特許請求の範囲】
【請求項１】
押し出し材により作られる放熱器を兼ねた照明箱体にLED光源を構成させることにより1つのLED照明器具としてユニット化したLED照明ユニットの押し出し方向断面に、対応する押し出方向断面を備えた他の前記LED照明ユニットを連結し、独立した1つの照明器具を構成することを特徴とするLED照明器具。
【請求項２】
押し出し材により作られる放熱器を兼ねた照明箱体にLED光源を構成させることにより1つのLED照明器具としてユニット化したLED照明ユニットの押し出し方向断面と並行に、対応する他の前記LED照明ユニットを連結し、独立した1つの照明器具を構成することを特徴とするLED照明器具。
【請求項３】
前記請求項1及び請求項2のLED照明器具において前記押し出し材により作られる放熱器を兼ねた照明箱体にLED光源の光を反射させる角度を持った反射板が前記押し出し材にて構成されていることを特徴とするLED照明器具。
【発明の詳細な説明】
【技術分野】
【０００１】
本発明は、LEDを使用するLED照明器具の構造に利用される。
【背景技術】
【０００２】
ＬＥＤ照明器具に使われる、LEDは、発光時における熱により発光性能の劣化などがおきるため、生じる熱の放熱を行う放熱器が必要となる。また、照明に必要な電力消費は、蛍光灯よりも低いがLEDの価格が高いためLED照明器具の価格は蛍光灯に用いる蛍光管より、高いためその汎用性が蛍光灯より低くなっている。
【発明の概要】
【発明が解決しようとする課題】
【０００３】
本発明は、放熱性の高いアルミニューム等の押し出し材用いてLEDの発光時における熱による発光性能の劣化を防ぐ放熱器の役割とLEDからの光を反射する反射板を構成した、前記押し出し材にＬＥＤ光源を構成し、1つのLED照明器具としてユニット化した、LED照明ユニットを組み合わせることにより、さまざまなサイズの独立した1つのＬＥＤ照明器具を作り出すことにより、生産工程における生産設備機器等を、簡素化し、低価格のLED照明器具を提供することにある。
【課題を解決するための手段】
【０００４】
本発明は、LED光源を、反射角度を備えた放熱性の高いアルミニューム等の押し出し材に構成し、これを1つのLED照明器具ユニットとしこれらを、プラスチック等の連結板を介して、次々と前記ユニットを連結させることにより、長さ及び幅を変えることの可能な1つの独立したＬＥＤ照明器具とすることにより、LEDの発光時における熱による発光性能の劣化を防ぐとともに、生産工程における生産設備機器等を、簡素化することにより、低価格のLED照明器具を提供することにある。
【発明の効果】
【０００５】
LED照明器具のユニット化により蛍光灯のように用途に応じたさまざまなサイズを必要としなくまた、反射板や放熱板を別々に作る必要がないため、生産性がよくなり、低価格かつ放熱性の良い、LED照明器具を提供できる。
【図面の簡単な説明】
【０００６】
【図１】LED光源（Ａ）
【図２】図（a）照明箱体（6）、図(b) 照明箱体(6)の右側面図（押し出し方向断面図）  図（c）LED光源(A)を照明箱体（6）に取り付けた図,図(d) は図(c)の右側面図
【図３】図(e) 連結板(D) 正面図  図(f) 連結板(D)右側面図  図(g)連結板(D)背面図図(h)連結板(D)斜視図
【図４】図(i) エンドキャップ(E)正面図  図(j) エンドキャップ(E)右側面図図(k)エンドキャップ(E)背面図
【図５】図(l)連結棒(F)左側面図  図(m)連結棒(F)正面図  図(n)照明箱体に取り付けた連結棒(F)図
【図６】図(o) 2個のＬＥＤ照明ユニット（Ｂ）連結前図    図(p) 2個のＬＥＤ照明ユニット（Ｂ）連結後図
【図７】図(q) 2個ＬＥＤ照明ユニット（Ｂ）連結前斜視図      図(r) 2個ＬＥＤ照明ユニット（Ｂ）連結後斜視図
【図８】図(s) 2個の接続用溝（9）と末端接続用溝（10）を構成したエンドキャップ（Ｅ）図(t) ＬＥＤ照明ユニット（B）を押し出し方向に4個連結の列を並行に2列連結した図
【発明を実施するための形態】
【０００７】
以下、本発明の実施の形態を図1から図8に従って説明する。
【０００８】
図1のAは、本発明に使用するLEDを基板に構成させたLED基板（1）をプラスチックのカバー（3）を備えたLED基板取り付け台（2）に取り付けた、LED光源である。（4）は取り付け穴である。
図2における(a)図の（6）は、前記LED光源(A)を取り付ける、アルミニュームなどの放熱器の役割をする放熱性の良い中空形状押し出し材からなるLED照明箱体である、(5)は、LED光源(A)を前記押し出し材に取り付ける取り付けねじ穴である。
図(a)における矢印はLED照明箱体（6）の押し出し方向を示している。
図(b)は、図(a)の押し出し方向面図であり図(a)の右側面図である。
図(c )は、前記LED光源（A）を前記照明箱体（6）に取り付けた図でありこれによりＬＥＤから発せられる熱は、前記照明箱体（6）全体に熱伝導され空気中に放熱され熱によるＬＥＤの温度上昇を防ぐことにより温度によるＬＥＤの劣化を防ぐ、これを、1つのLED照明ユニット（B）とする（照明の為の内部配線、電源用基板などの図示は省略する）図(d)はLED照明ユニット（Ｂ）の右側面図であり（7）は前記LED照明ユニット（B）を複数連結する際の連結用のガイド溝である。前記押し出し材（6）にはθなる角度が構成されていて、この角度はＬＥＤ光源（Ａ）から生じる光を反射する反射板の役割を果たす。
図3の図(e)は、プラスチック等からなる、ＬＥＤ照明ユニット（Ｂ）同士を連結するための連結板（Ｄ）である、前図（ｂ）に示されている、前記照明箱体（6）の押し出し方向断面形状とほぼ同じ形状の溝である接続用溝（9）とＬＥＤ照明ユニット（Ｂ）と連結板（Ｄ）を連結するための連結用貫通穴（8）が連結部として構成されている、ＬＥＤ照明ユニット（Ｂ）の押し出し方向端面は前記連結板（Ｄ）に設けられた連結溝(9)に挿入され、ＬＥＤ照明ユニット（Ｂ）と連結板（Ｄ）は連結される。図(f)は、前記連結板（Ｄ）の右側面図であり、図(g)は、連結板(D)と同じ連結用溝（9）と連結用貫通穴（8）を備えた連結板(D)の背面図である。
図(h)は、前記連結板(D)の斜視図である。
【０００９】
図4の図(i)は、ＬＥＤ照明ユニット（Ｂ）の末端に接続する、プラスチック等からなるエンドキャップ（Ｅ）である、エンドキャップ（Ｅ）の片側には接続部として連結板（Ｄ）と同じ形状の連結用貫通穴（8）と形状が同じだが貫通していない、末端接続用溝1（10）と連結用溝（9）と同じ形状の末端接続用溝2（11）が構成されていて、前記溝にＬＥＤ照明ユニット（Ｂ）とエンドキャップ（Ｅ）を挿入することにより、接続する。エンドキャップ（Ｅ）や連結板（Ｄ）の色を変えることにより周辺の配色にあった照明器具を構成できる、図(j)は、エンドキャップ（Ｅ）の右側面図であり図（ｋ）は、背面図である。エンドキャップ（Ｅ）には、ねじ穴が図(i)の平面と底面に構成されている。（図示しない）
【００１０】
図5は、複数のＬＥＤ照明ユニット（Ｂ）を連結するための、ステンレスなどの金属からなる連結棒（Ｆ）であり図(l)はその、正面図、図(m)は、右側面図であり（12）はエンドキャップ(E)と連結棒（Ｆ）の締結用ねじ穴である。
図(n)は、連結棒（Ｆ）を前記照明箱体（6）に構成した連結棒挿入溝（7）に前記連結棒（F）を挿入した場合の前記照明箱体（6）の押し出し方向断面から見た図ある。
【００１１】
図6は、ＬＥＤ照明ユニット（Ｂ）を2個連結したＬＥＤ照明ユニット（Ｂ）からなる  ＬＥＤ照明器具を製作する図である、2個のエンドキャップ（Ｅ）と1個の連結板（Ｄ）と2本の連結棒（Ｆ）を使用して、図(o)に示されているように、左側のエンドキャップ（Ｅ）とＬＥＤ照明ユニット（Ｂ）、連結板（Ｄ）、ＬＥＤ照明ユニット（Ｂ）の順で対応する各溝に矢印のように挿入後、連結棒（Ｆ）を、連結板（Ｄ）、ＬＥＤ照明ユニット（Ｂ）の連結用貫通穴（8）、連結用ガイド溝（7）に挿入後、右側のエンドキャップをＬＥＤ照明ユニット（Ｂ）と連結棒（Ｆ）に挿入し、その後各エンドキャップ（Ｅ）に備えた穴から、連結棒(F)に備えたねじ穴にねじで締結することにより、照明器具全体を連結、締結する。
【００１２】
図(p)は、2個のＬＥＤ照明ユニット（Ｂ）連結後のＬＥＤ照明器具の完成図である、この図においては、2個のＬＥＤ照明ユニット（Ｂ）が連結され1つのＬＥＤ照明器具を構成しているが連結によりさらにＬＥＤ照明ユニット（Ｂ）を増やせば、明るさを変えることができる。
図7の（ｑ）図は、図6における(o)図の斜視図であり、連結、挿入を示している、( r)図は図6における(p)図の斜視図である、（13）は連結棒(F)をエンドキャップ（Ｅ）に締結するねじである。
【００１３】
図8は、図6や図7で示したのは、照明箱体（6）の押し出し方向断面への接続であったが、図（ｓ）に示されるように、前記エンドキャップ（Ｅ）に2個の接続用溝（9）と末端接続用溝（10）を照明箱体（6）の押し出し方向と並行な方向に構成した2個並列連結用エンドキャップ（Ｇ）を構成させることにより、図(t)で示されているような、照明箱体（6）の押し出し方向（図中においての長さ方向  矢印）及びその並行方向（図中においての幅方向  矢印）にも複数のＬＥＤ照明ユニット（Ｂ）を連結することができる。
なお、エンドキャップばかりでなく、連結板（Ｄ）も同様に複数のＬＥＤ照明ユニット（Ｂ）を押し出し方向とは並行な方向に連結用溝（7）と連結用貫通穴（8）を増すことにより連結できる。また1つの連結棒（F）の両側に前記LED照明ユニット（B）を連結しても良い（図示しない）
図(t)に示された、複数のＬＥＤ照明ユニット（Ｂ）は設けたセンサーなどやコントローラ（図示しない）によって各ＬＥＤ照明ユニット（Ｂ）の光を変化させることにより、明るさ及び、センサーからの情報を表示できる。
【符号の説明】
【００１４】
1.       
ＬＥＤ基板
2.       
ＬＥＤ基板取り付け台
3.       
プラスチックカバー
4.       
ＬＥＤ取り付け台取り付け穴
5.       
ＬＥＤ取り付け台取り付け穴に対応するＬＥＤ照明光源（Ａ）の取り付けねじ穴
6.       
照明箱体
7.       
ＬＥＤ照明ユニット（Ｂ）連結用のガイド溝
8.       
ＬＥＤ照明ユニット（Ｂ）連結用貫通穴
9.       
ＬＥＤ照明ユニット（Ｂ）連結用溝
10.   
末端接続用溝1
11.   
末端接続用溝2
12.   
エンドキャップ(E)と連結棒（Ｆ）の締結用ねじ穴
13.   
連結棒(F)をエンドキャップ（Ｅ）に締結ねじ
Ａ.   LED光源
Ｂ. ＬＥＤ照明ユニット
Ｄ. 連結板
Ｅ. エンドキャップ
Ｆ. 連結棒
Ｇ. 2個並列連結用エンドキャップ
θ  押し出し材に設けた反射角度
【図１】
2011040414.tif 000003
【図２】
2011040414.tif 000004
【図３】
2011040414.tif 000005
【図４】
2011040414.tif 000006
【図５】
2011040414.tif 000007
【図６】
2011040414.tif 000008
【図７】
2011040414.tif 000009
【図８】
2011040414.tif 000010
【手続補正書】
【提出日】平成23年1月5日(2011.1.5)
【手続補正１】
【補正対象書類名】特許請求の範囲
【補正対象項目名】全文
【補正方法】変更
【補正の内容】
【特許請求の範囲】
【請求項１】
押し出し材により作られる放熱器を兼ねた照明箱体にLED光源を構成させることにより1つのLED照明器具としてユニット化したLED照明ユニットの押し出し方向断面に、対応する押し出方向断面を備えた他の前記LED照明ユニットを連結し、独立した1つの照明器具を構成することを特徴とするLED照明器具。
【請求項２】
押し出し材により作られる放熱器を兼ねた照明箱体にLED光源を構成させることにより1つのLED照明器具としてユニット化したLED照明ユニットの押し出し方向断面に、対応する押し出方向断面を備えた他の前記LED照明ユニットを前記押し出し材に構成された連結用ガイド溝を介して連結し、独立した1つの照明器具を構成することを特徴とするLED照明器具。
【請求項３】
押し出し材により作られる放熱器を兼ねた照明箱体にLED光源を構成させることにより1つのLED照明器具としてユニット化したLED照明ユニットの押し出し方向断面に構成した複数の前記押し出方向断面に対応する接続板を接続することにより並行に他の前記LED照明ユニットを連結し、独立した1つの照明器具を構成することを特徴とするLED照明器具。
【請求項４】
前記請求項1及び請求項2、請求項3のLED照明器具において前記押し出し材により作られる放熱器を兼ねた照明箱体にLED光源の光を反射させる角度を持った反射板が前記押し出し材にて構成されていることを特徴とするLED照明器具。